(57)【要約】  自動車（１０１）用のカメラ・モニタ・システム（１００）は、自動車（１０１）の周囲（１０５）の画像を供給するように構成されたカメラ（１０２）と、通話ユニット（１０６）を有する、カメラ（１０２）の画像を表示するモニタ（１０４）と、を備えている。
2021525196.tif 000002
【特許請求の範囲】
【請求項１】
自動車（１０１）用のカメラ・モニタ・システム（１００）であって、
前記自動車（１０１）の周囲（１０５）の画像を供給するように構成されたカメラ（１０２）と、
通話ユニット（１０６）を有する、前記カメラ（１０２）の画像を表示するモニタ（１０４）と、
を備える、カメラ・モニタ・システム（１００）。
【請求項２】
前記通話ユニット（１０６）は、前記モニタ（１０４）の一部であるマイクロフォン（１０７）を有している、請求項１記載のシステム。
【請求項３】
前記通話ユニット（１０６）は、前記モニタ（１０４）の一部である別のカメラ（１０８）を有している、請求項１または２記載のシステム。
【請求項４】
前記通話ユニット（１０６）は、前記モニタ（１０４）の一部であるスピーカ（１０９）を有している、請求項１から３までのいずれか１項記載のシステム。
【請求項５】
外部の携帯電話（１１１）とのデータ通信のための通信インタフェース（１１０）を備えている、請求項１から４までのいずれか１項記載のシステム。
【請求項６】
前記自動車（１０１）のスピーカシステム（１１３）に音声情報を伝送する伝送ユニット（１１２）を備えている、請求項１から５までのいずれか１項記載のシステム。
【請求項７】
前記通話ユニット（１０６）は、全体または一部が前記モニタ（１０４）のケーシング（１０３）に統合されている、請求項１から６までのいずれか１項記載のシステム。
【請求項８】
前記通話ユニット（１０６）は、画像および音響の同時伝送または純粋な音響伝送のために構成されている、請求項１から７までのいずれか１項記載のシステム。
【請求項９】
前記システムは、前記自動車（１０１）用のミラー代替システム（１１４）として構成されている、請求項１から８までのいずれか１項記載のシステム。
【請求項１０】
自動車（１０１）用のミラー代替システムの、通話システムとしての使用。
【発明の詳細な説明】
【技術分野】
【０００１】
ここに示されるのは、自動車用カメラ・モニタ・システム、例えば、自動車用ミラー代替システムとして構成されているカメラ・モニタ・システムである。さらに、自動車用ミラー代替システムの使用が示される。
【背景技術】
【０００２】
自動車は、カメラと、このカメラの画像を自動車の利用者のために表示するモニタとを有することが可能である。例えば、カメラおよびモニタを用いて、従来のエクステリアミラーの視野を写し出すミラー代替システムが知られている。
【発明の概要】
【発明が解決しようとする課題】
【０００３】
拡張された使用領域を有する、自動車用カメラ・モニタ・システムを示すことは望ましいことである。さらに、付加的な使用領域を可能にする、自動車用ミラー代替システムを示すことは望ましいことである。
【課題を解決するための手段】
【０００４】
少なくとも１つの実施形態によれば、自動車用カメラ・モニタ・システムはカメラを有している。カメラは、自動車の周囲の画像を供給するように構成されている。カメラ・モニタ・システムは、カメラの画像を表示するモニタを有している。モニタは、通話ユニットを有している。
【０００５】
カメラ・モニタ・システムは、特に自動車用ミラー代替システムとして構成されている。カメラ・モニタ・システムは、特に、自動車の走行中にモニタに画像を表示するように構成されている。例えば、カメラ・モニタ・システムによって可能になるのは、運転者および／または自動車の別の利用者に対し、自動車の周囲を少なくとも部分的にカメラ・モニタ・システムのモニタに表示することである。これにより、従来のエクステリアミラーは、例えば省略可能である。カメラは、特に、自動車の長手方向側面に対応付けられており、かつこれまでは従来のエクステリアミラーを用いて認識可能である、周囲の少なくとも一部を写し出すように構成されている。例えば、カメラは、動作時に自動車の側方のカメラアームに配置されている。
【０００６】
モニタは、画像を表示する要素に加えて通話ユニットを有している。これにより、モニタは、通話および／またはビデオ通話に使用されるように構成されている。したがって、カメラの画像の表示に適するようにされているのに加えて、モニタ、ひいてはカメラ・モニタ・システムは、電話機能を有している。モニタは、動作時に、例えば自動車のＡピラーに取り付けられている。例えば貨物自動車では、モニタは、自動車の乗車グリップの周囲に取り付けられている。モニタは、特に運転者および／または同乗者のすぐ近くに取り付けられている。例えば、モニタは、運転者および／または同乗者の正面の視野にも突き出ている。モニタは、例えば、大きな改造なしに自動車に後付け可能である。
【０００７】
通話ユニットは、特に全体または一部がモニタのケーシングに統合されている。通話ユニットは、表示要素と共にモニタの同じケーシングに組み込まれている。したがって、通話ユニットは、自動車に容易に統合可能である。さらに、通話ユニットは、運転者および／または同乗者の有効な近くの箇所に取り付け可能である。したがって、例えば、良好な音声品質および／または良好な画質が可能になる。自動車内での通話のためにマイクロフォンおよび／またはカメラを付加的に統合することが回避可能である。通話ユニットは、ただ１つのユニットに取り付けられる。したがって、容易かつコスト効率的に後付けできることが保証される。
【０００８】
少なくとも１つの実施形態によれば、通話ユニットは、モニタの一部であるマイクロフォンを有している。したがって、マイクロフォンは、利用者の近くに取り付け可能である。特に、騒がしい外部状況においては、このような状況にもかかわらず良好な録音品質が可能である。コストのかかる後処理、例えばノイズキャンセリングが回避可能である。
【０００９】
少なくとも１つの実施形態によれば、通話ユニットは、モニタの一部である別のカメラを有している。この別のカメラは、例えば、動作時に利用者に向けられ、ビデオ通話のためのビデオ信号の伝送に使用される。このカメラはモニタに統合されており、ひいては利用者に対して良好な角度で統合されている。したがって、利用者の顔を正面から見ることができる。したがって、利用者の顔のカメラ画像は、歪みなしに写し取ることが可能である。したがって、例えば、極めて大きな角度だけから利用者を撮影できる従来の車内カメラと比較して、運転支援システムにおける認識率を改善することができる。この別のカメラにより、利用者を正面から見ることによって利用者を自然に写し取ることも可能である。
【００１０】
別の実施形態によれば、通話ユニットは、モニタの一部であるスピーカを有している。このスピーカは、例えば、通話時に音響信号を出力するために使用される。したがって、カメラ・モニタ・システムのモニタには、自立の通話ユニットに完全に統合することができる。
【００１１】
特にビデオ通話応用では、相手のカメラ画像をモニタに表示することができる。これは、例えば、モニタの表示面全体において、かつ／または部分領域だけにおいて行われる。特に走行中には、少なくとも、エクステリアミラーについての法的に規定された視野クラスがモニタに表示される。これらは、例えば、ビデオ通話の付加的な画像用のスペースを示すために縮められて表示される。自動車の静止時には、この画像を全面に表示することが可能である。
【００１２】
少なくとも１つの実施形態によれば、このシステムは、外部の携帯電話とのデータ通信のための通信インタフェースを有している。例えば、通信インタフェースは、モニタの一部、特に通話ユニットの一部である。したがって、例えば、通話時にはカメラ・モニタ・システムを用いて外部の携帯電話のデータ、例えば、携帯電話に記憶されている電話番号を使用することができる。
【００１３】
別の一実施形態によれば、このシステムは、自動車のスピーカシステムに音声情報を伝送する伝送ユニットを有している。したがって、通話ユニットの音声データを自動車のスピーカシステムに伝送し、自動車のスピーカシステムを用いて再生することができる。これにより、自動車の既存のインフォテインメントシステムに、通話機能を有するカメラ・モニタ・システムを統合することができる。
【００１４】
自動車用のミラー代替システムは、一実施形態では、通話システムとして使用される。このミラー代替システムは、特に、本発明の少なくとも１つの実施形態によるカメラ・モニタ・システムを有している。従来のエクステリアミラーの代替としてのミラー代替システムの従来の使用に加え、このミラー代替システムは、通話システムとしても使用可能である。したがって、このミラー代替システムは、通話に、例えばビデオ通話および／または従来の通話に使用可能である。
【００１５】
別の利点、特徴および発展形態が、図面に関連して説明される以下の複数の実施例から明らかになる。同じ、同種の、または同じ作用の要素には、図面をまたいで、同じ参照符号が付されていることがある。
【図面の簡単な説明】
【００１６】
【図１】一実施例によるカメラ・モニタ・システムを有する自動車の概略図である。
【図２】一実施例によるモニタの概略図である。
【発明を実施するための形態】
【００１７】
図１には、一実施例による自動車１０１を上から見た概略図が示されている。自動車１０１は、例えば、貨物自動車である。別の複数の実施例によれば、自動車は、バスおよび／または乗用車である。
【００１８】
自動車１０１は、ミラー代替システム１１４としてカメラ・モニタ・システム１００を有している。カメラ・モニタ・システム１００は、自動車１０１の長手方向側面毎に１つのカメラ１０２を有している。カメラ１０２はそれぞれ、自動車１０１の周囲１０５の一部を撮影するために使用される。別の複数の実施例によれば、長手方向側面毎に複数のカメラ、例えば２つまたはそれ以上のカメラが設けられている。別の複数の実施例によれば、カメラ１０２は、自動車１０１の一方の長手方向側面だけに設けられている。
【００１９】
カメラ１０２は、特に、従来のエクステリアミラーの視野にある、周囲１０５の一部を録画するように構成されている。このために、例えば、カメラ１０２は、長手方向側面において、自動車１０１の側方のカメラアームに配置されている。
【００２０】
カメラ・モニタ・システム１００は、２つのモニタ１０４を有している。動作時には、関連する長手方向側面の関連する周囲１０５のそれぞれ１つの部分がモニタ１０４に表示される。特に、関連するカメラ１０２の画像が、モニタ１０４に表示される。
【００２１】
ここでは、カメラ１０２およびモニタ１０４に信号技術的に接続されている装置１１０が設けられている。装置１１０は、カメラ１０２もモニタ１０４も共に制御するように構成されている。例えば、装置１１０は、自動車１０１の制御装置または制御装置の一部である。特に、装置１１０は、画像処理のために構成されている。
【００２２】
モニタ１０４は、それぞれ１つの通話ユニット１０６を有している。別の複数の実施例によれば、すべてのモニタ１０４が通話ユニット１０６を有しているわけではない。例えば、複数のモニタ１０４のうち１つだけが、通話ユニット１０６を有している。通話ユニット１０６により、通話するために、例えば移動無線ネットワークを用いて音声信号を伝送するために、かつ／または移動無線ネットワークを用いてビデオ通話信号を伝送するために、カメラ・モニタ・システム１００を使用することが可能になる。
【００２３】
図２には、一実施例によるモニタ１０４の概略図が示されている。モニタ１０４は、ケーシング１０３を有している。モニタ１０４は、表示領域１１５を有している。表示領域１１５は、周囲の画像を表示するために、かつ／またはビデオ通話システムとして使用される間に画像を表示するために使用される。
【００２４】
ケーシング１０３は、表示領域１１５に画像を表示するための要素も収容する、モニタ１０４のケーシングである。同一のケーシング１０３には、特に通話ユニット１０６の要素も配置されている。ケーシング１０３は、通話ユニット１０６の要素を支持しかつ保持する。通話ユニット１０６は、モニタ１０４に統合されている。
【００２５】
通話ユニット１０６は、マイクロフォン１０７を有している。マイクロフォン１０７は、音響信号を録音するために、特に通話時の音響信号を録音するために、かつ／または音声制御のための音響信号を録音するために使用される。通話ユニット１０６は、別のカメラ１０８を有している。この別のカメラは、ビデオ通話中に自動車１０１の運転者を撮影するために、かつ／または自動車１０１の同乗者または別の利用者を撮影するために使用される。通話ユニット１０６は、スピーカ１０９を有している。これは、特に通話時に音響信号を出力するために使用される。
【００２６】
通話ユニット１０６は、通信インタフェース１１０を有している。通信インタフェースは、特に、通話ユニット１０６および／またはカメラ・モニタ・システム１００を信号技術的に外部の携帯電話１１１（図１）に接続するために使用される。したがって、例えば、無線接続を用いて、かつ／また有線接続を用いて、携帯電話１１１と通話ユニット１０６との間でデータを交換可能である。このようなデータには、例えば、携帯電話１１１に記憶されているデータ、電話番号または類似のものが含まれる。複数の実施例によれば、通話ユニット１０６を移動無線ネットワークに接続するために、移動無線ネットワークへの携帯電話１１１へのコネクションが使用される。
【００２７】
通話ユニット１０６は、伝送ユニット１１２を有している。伝送ユニット１１２は、通話ユニット１０６と、自動車１０１のスピーカシステム１１３（図１）とを信号技術的に接続するために使用される。したがって、特に、通話時には自動車１０１のスピーカシステム１１３を用いて、通話相手の音声信号を出力可能である。
【００２８】
通話ユニット１０６は、複数の実施例によれば、図２に示したすべての要素１０７、１０８、１０９、１１０、１１２を有しているわけではない。複数の実施例によれば、特定の要素の任意の選択が、通話ユニット１０６において行われる。
【００２９】
マイクロフォン１０７および／または別のカメラ１０８は、ミラー代替システム１１４の表示要素と共に同じケーシング１０３に組み込まれている。マイクロフォン１０７は、運転者の口元の可能な限りに近くに配置されており、別のカメラ１０８により、可能な限りに良好に運転者を正面から見ることができる。このことは、同乗者にも対応して当てはまる。
【００３０】
音響再生には自動車１０１のスピーカシステム１１３および／またはモニタ１０４のスピーカ１０９が使用される。特に、会議システムでは、モニタ１０７のスピーカ１０９を使用するのが有効である。
【００３１】
別のカメラ１０８は、従来のカメラであってよい。別のカメラ１０８は、複数の実施例によれば、ＨＤＲカメラ、赤外線カメラおよび／または３Ｄカメラである。したがって、別のカメラ１０８の画像は、ビデオ通話応用に加えて、別の用途にも利用可能である。例えば、視線方向識別または別の身振りまたはジェスチャ識別が別のカメラ１０８によって実現される。
【００３２】
ビデオ通話を使用する際には、表示領域１１５全体を相手の顔を表示するために使用可能である。これは、特に法的な理由から、例えば、自動車１０１が停車しているときにのみ可能である。代替的にまたは付加的に、相手の顔を表示するために表示領域１１５の部分領域だけが使用される。例えば、カメラ１０２の画像は、法的な要件を満たすために、表示領域１１５に大きく縮められて表示される。それにもかかわらず、表示領域１１５にビデオ通話の画像を付加的に表示するためにスペースが設けられている。したがって、エクステリアミラー領域を表示するための法律規定に違反してしまうことはない。それにもかかわらず、相手の顔は表示可能である。例えば、走行中には通話ユニット１０６のビデオ信号を抑止して相手の顔が表示領域１１５にまったく表示されないようにすることも可能である。音響伝送だけが、例えばマイクロフォン１０７ならびにスピーカ１０９および／またはスピーカシステム１１３によって起動される。
【００３３】
通信インタフェース１１０により、携帯電話１１１は、カメラ・モニタ・システム１００およびミラー代替システム１１４に統合されている。
【００３４】
ハンズフリー通話応用にカメラ・モニタ・システム１００を適用する際には、カメラ・モニタ・システム１００により、録音される音声の良好な音声品質が可能になる。自動車１０１の天井領域または別の要素に付加的なマイクロフォンを組み込む必要はない。ビデオ通話応用にカメラ・モニタ・システム１００を使用する際には、モニタ１０４に統合されている別のカメラ１０８により、運転者の顔を正面から見ることができる。これにより、運転者の顔のカメラ画像を必要とする運転支援システムにおいて良好な認識率も可能になる。
【００３５】
モニタ１０４は、既存の車両に容易に後付け可能である。なぜなら、マイクロフォン１０７、別のカメラ１０８および表示領域１１５は、ただ１つのユニットに統合されているからである。特に、モニタ１０４には、個々の要素の信号をさらに処理することが可能な計算ユニットを一緒に取り付けることもできる。
【００３６】
カメラ・モニタ・システム１００に通話ユニット１０６を統合することにより、別の複数の構成要素から依存性を少なくし、ひいては、特に新車に統合する際にはコスト効率性を高め、かつ故障の起こり易さを低減させることができる。通話ユニット１０６は、わずかな追加コストだけで、カメラ・モニタ・システム１００に、特にミラー代替システム１１４に統合可能である。別のカメラ１０８のカメラ画像は、複数の実施例によれば、ＡＤＡＳ（英語：Advanced Driver Assistence System、先進運転支援システム）用の付加的な情報源として使用される。このＡＤＡＳは、ミラー代替システム１１４において、例えばカメラ１０２の画像用にも設けられている。したがって別のカメラ１０８の画像の使用は、例えば、別のコンポーネントがなくても、かつ／または別のケーブリングコストがなくても可能である。
【００３７】
通話ユニット１０６のマイクロフォン１０７により、自動車１０１のハンドフリーの音声制御が可能になる。別のカメラ１０８により、自動車１０１のジェスチャ制御が可能になる。別のカメラ１０８の運転者の顔のカメラ画像は、ＡＤＡＳをサポートするために使用可能である。別のカメラ１０８は、例えば自動運転の際に運転者を観察するための付加的な供給源として使用可能である。同乗者に対しては、特に、表示領域１１５におけるピクチャーインピクチャーコンセプトにより、自動車１０１内でのモバイルオフィスを実現可能であり、表示領域１１５には、例えば、ビデオ通話画像もミラー代替システム１１４の画像も共に表示可能である。
【００３８】
したがって、カメラ・モニタ・システム１００により、ミラー代替システム１１４の機能範囲が拡張される。モニタ１０４の位置は、自動車１０１の利用者の画像および音声を良好な品質で記録できるようにするために、また相手側の信号を適切な位置に出力できるようにするために有効に使用される。
【図１】
2021525196.tif 000003
【図２】
2021525196.tif 000004
【国際調査報告】
2021525196.tif 000005
2021525196.tif 000006